(57)【要約】【課題】  大型化することなく、非接触ＩＣリーダライタ装置の表面、かつ、ユーザの操作性を阻害しない位置にアンテナを配置することができる非接触ＩＣリーダライタ装置を提供する。【解決手段】  アンテナ１０４は、非接触ＩＣメディアと通信を行うループ状の回路パタンを有する。マトリクスパタン３０は、ユーザが入力する操作の内容に応じた電流が流れるマトリクス状の回路パタンを有する。スイッチ部２１〜２２は、非接触ＩＣメディアとの通信時にマトリクスパタン３０に流れる電流を遮断する。【選択図】  図４
2009193474.tif 000002
【特許請求の範囲】
【請求項１】
読み書き可能なＩＣチップを有する非接触ＩＣメディアが記憶する情報について、読み込みおよび書き込みを行う非接触ＩＣリーダライタ装置において、
前記非接触ＩＣメディアと通信を行うループ状の回路パタンを有するアンテナ回路と、
ユーザが入力する操作の内容に応じた電流が流れる回路パタンを有する入力回路と、
前記非接触ＩＣメディアとの通信時に前記入力回路に流れる電流を遮断する電流遮断部と、
を備え、
前記アンテナ回路の回路パタンと前記入力回路の回路パタンとが隣接して配置されている
ことを特徴とする非接触ＩＣリーダライタ装置。
【請求項２】
前記アンテナ回路の前記回路パタンは、前記入力回路の回路パタンの外側に配置されている
ことを特徴とする請求項１に記載の非接触ＩＣリーダライタ装置。
【請求項３】
前記アンテナ回路の回路パタンの配置は、前記入力回路の回路パタンの周囲を囲む配置である
ことを特徴とする請求項１に記載の非接触ＩＣリーダライタ装置。
【請求項４】
前記入力回路の回路パタンと、前記アンテナ回路の回路パタンとが、互いの回路パタンの少なくとも一部を共有している
ことを特徴とする請求項１に記載の非接触ＩＣリーダライタ装置。
【請求項５】
物体の接触状態に応じて、前記入力回路に流れる電流を制御する複数のキーと、
前記非接触ＩＣメディアとの通信を行う前に、前記入力回路に流れる電流に基づいて前記非接触ＩＣメディアの位置を検出し、検出した位置に関する情報をユーザに通知する処理を実行する制御部と、
を備えることを特徴とする請求項１から請求項４のいずれか１項に記載の非接触ＩＣリーダライタ装置。
【請求項６】
前記入力回路は、マトリクス状の回路パタンを有する
ことを特徴とする請求項１から請求項５のいずれか１項に記載の非接触ＩＣリーダライタ装置。
【請求項７】
前記入力回路と前記アンテナ回路とは同一の電子回路基板上に構成される
ことを特徴とする請求項１から請求項６のいずれか１項に記載の非接触ＩＣリーダライタ装置。
【請求項８】
読み書き可能なＩＣチップを有する非接触ＩＣメディアが記憶する情報について、読み込みおよび書き込みを行う非接触ＩＣリーダライタ装置の駆動方法において、
前記非接触ＩＣメディアと通信を行うループ状の回路パタンを有するアンテナ回路を用いて前記非接触ＩＣメディアと通信する際に、ユーザが入力する操作の内容に応じた電流が流れる回路パタンを有する入力回路に流れる電流を遮断する電流遮断ステップ
を含むことを特徴とする非接触ＩＣリーダライタ装置の駆動方法。
【発明の詳細な説明】
【技術分野】
【０００１】
本発明は、非接触ＩＣメディアが記憶するデータの読み取り、書き込みを行う非接触ＩＣリーダライタ装置および非接触ＩＣリーダライタ装置の駆動方法に関する。
【背景技術】
【０００２】
従来、非接触ＩＣメディアの読み取りおよび書き込みを行う非接触ＩＣリーダライタ装置が知られている（例えば、特許文献１参照。）。また、表示部、入力部、印刷部、磁気カードリーダ部、ＩＣカードリーダ部、通信部などの多種の機能を備えている携帯型決済端末装置が知られている。なお、携帯型決済端末装置は一般的に小型軽量であり、各構成部を搭載することが可能な領域は限られている。
【０００３】
また、表示部は操作者が表示内容を確認できるように、入力部は操作者が操作できるように、印刷部は印刷された用紙が外部に排出されるために、磁気カードリーダおよびＩＣカードリーダは操作者が磁気カードを読み取らせるために、それぞれ携帯型決済端末装置の表面に配置されている必要がある。
【０００４】
この携帯型決済端末装置に、さらに非接触ＩＣリーダライタ装置を搭載する場合、非接触ＩＣメディアが記憶する情報の読み込みおよび書き込みのために使用するアンテナを携帯型決済端末装置の表面に配置する必要がある。
【特許文献１】特開２００１−２０９８６１号公報
【発明の開示】
【発明が解決しようとする課題】
【０００５】
しかしながら、携帯型決済端末装置の表面は既に他の構成部で占められており、アンテナを配置する場所を確保することが難しいという問題がある。例えば、装置の底面にアンテナを配置することが考えられるが、装置の底面では操作を行うのに不便である。
【０００６】
また、表示部の外周にアンテナを配置することが考えられる。しかしながら、非接触ＩＣメディアが記憶する情報の読み込みおよび書き込みの際に、非接触ＩＣメディアをアンテナに近づける必要があるため、表示部が表示する表示内容を操作者は確認することが出来ないという問題がある。
【０００７】
本発明は上記の課題を解決するためになされたものであり、非接触ＩＣリーダライタ装置を大型化することなく、非接触ＩＣリーダライタ装置の表面、かつ、ユーザの操作性を阻害しない位置にアンテナを配置することができる非接触ＩＣリーダライタ装置を提供することを目的とする。
【課題を解決するための手段】
【０００８】
本発明は、読み書き可能なＩＣチップを有する非接触ＩＣメディアが記憶する情報について、読み込みおよび書き込みを行う非接触ＩＣリーダライタ装置において、前記非接触ＩＣメディアと通信を行うループ状の回路パタンを有するアンテナ回路と、ユーザが入力する操作の内容に応じた電流が流れる回路パタンを有する入力回路と、前記非接触ＩＣメディアとの通信時に前記入力回路に流れる電流を遮断する電流遮断部と、を備え、前記アンテナ回路の回路パタンと前記入力回路の回路パタンとが隣接して配置されていることを特徴とする非接触ＩＣリーダライタ装置である。
【０００９】
また、本発明の非接触ＩＣリーダライタ装置において、前記アンテナ回路の前記回路パタンは、前記入力回路の回路パタンの外側に配置されていることを特徴とする。
【００１０】
また、本発明の非接触ＩＣリーダライタ装置において、前記アンテナ回路の回路パタンの配置は、前記入力回路の回路パタンの周囲を囲む配置であることを特徴とする。
【００１１】
また、本発明の非接触ＩＣリーダライタ装置において、前記入力回路の回路パタンと、前記アンテナ回路の回路パタンとが、互いの回路パタンの少なくとも一部を共有していることを特徴とする。
【００１２】
また、本発明は、物体の接触状態に応じて、前記入力回路に流れる電流を制御する複数のキーと、前記非接触ＩＣメディアとの通信を行う前に、前記入力回路に流れる電流に基づいて前記非接触ＩＣメディアの位置を検出し、検出した位置に関する情報をユーザに通知する処理を実行する制御部と、を備えることを特徴とする非接触ＩＣリーダライタ装置である。
【００１３】
また、本発明の非接触ＩＣリーダライタ装置において、前記入力回路は、マトリクス状の回路パタンを有することを特徴とする。
【００１４】
また、本発明の非接触ＩＣリーダライタ装置において、前記入力回路と前記アンテナ回路とは同一の電子回路基板上に構成されることを特徴とする。
【００１５】
また、本発明は、読み書き可能なＩＣチップを有する非接触ＩＣメディアが記憶する情報について、読み込みおよび書き込みを行う非接触ＩＣリーダライタ装置の駆動方法において、前記非接触ＩＣメディアと通信を行うループ状の回路パタンを有するアンテナ回路を用いて前記非接触ＩＣメディアと通信する際に、ユーザが入力する操作の内容に応じた電流が流れる回路パタンを有する入力回路に流れる電流を遮断する電流遮断ステップを含むことを特徴とする非接触ＩＣリーダライタ装置の駆動方法である。
【発明の効果】
【００１６】
この発明によれば、非接触ＩＣリーダライタ装置を大型化することなく、非接触ＩＣリーダライタ装置の表面、かつ、ユーザの操作性を阻害しない位置にアンテナを配置することができる。
【発明を実施するための最良の形態】
【００１７】
以下、本発明の一実施形態について図面を参照して説明する。図１は、本実施形態における非接触ＩＣリーダライタ装置を備えた携帯型決済端末装置を示した図である。図示する例では、携帯型決済端末装置はキーボード１０１と、表示部１０２と、プリンタ部１０３と、アンテナ１０４とを備える。また、アンテナ１０４の形状はループ状となっており、アンテナ１０４のループ内にキーボード１０１が配置されている。また、キーボード１０１の下部には図示せぬキーボードの回路（マトリクスパタン）が配置されている。
【００１８】
キーボード１０１は、非接触ＩＣリーダライタ装置の操作を受け付ける。表示部１０２は、非接触ＩＣリーダライタ装置が行う処理の表示を行う。プリンタ部１０３は、レシートなどの印字を行う。アンテナ１０４は、非接触ＩＣメディアと通信を行う。
【００１９】
また、ピンパッド装置に非接触ＩＣリーダライタ装置のアンテナを搭載する構成としても良い。ピンパッド装置は、決済端末装置のキーボード１０１とアンテナ１０４を取り出したものであり、決済端末装置と接続している。
【００２０】
図２は、本実施形態における非接触ＩＣリーダライタ装置を備えたピンパッド装置を示した図である。図示する例では、ピンパッド装置はキーボード１０１とアンテナ１０４とを備える。また、アンテナ１０４の形状はループ状となっており、アンテナ１０４のループ内にキーボード１０１が配置されている。また、キーボード１０１の下部には図示せぬキーボードの回路（マトリクスパタン）が配置されている。
【００２１】
次に、非接触ＩＣリーダライタ装置が備えるキーボードの回路（マトリクスパタン）について説明する。図３は本実施形態における非接触ＩＣリーダライタ装置が備えるキーボードの回路を示した図である。
【００２２】
図示する例では、制御部１０と、スイッチ３０１〜３１６と、スイッチ部２１〜２２とがある。マトリクスパタンは、スイッチ３０１〜３１６を含む。スイッチ３０１〜３１６とスイッチ部２１〜２２とは開閉式のスイッチである。この図３では、マトリクス状に接続されている回路であることが理解し易いように、スイッチ３０１〜３０４、スイッチ３０５〜３０８、スイッチ３０９〜３１２、スイッチ３１３〜３１６それぞれの列を上から下へ４段に並べて示してあるが、実際の基板上におけるスイッチ３０１〜３１６の配置は、スペースや引き回し易さ等を考慮しながら決定する。
【００２３】
また、スイッチ３０１〜３１６は２つの接続部を有し、スイッチ３０１〜３１６の第一の接続部はスイッチ部２１を介し制御部１０と接続し、スイッチ３０１〜３１６の第二の接続部はスイッチ部２２を介し制御部１０と接続している。また、制御部１０は、スイッチ部２１およびスイッチ部２２を介し、スイッチ３０１〜３１６に電流を流している。
【００２４】
また、スイッチ３０１は、後述するキー９０１と一対一で対応している。例えば、キー９０１が押された場合、スイッチ３０１が閉じ、スイッチ３０１に電流が流れる。これにより、制御部１０はキー９０１が押されたことを認識する。なお、キー９０１が押されていない場合は、スイッチ３０１は開き、スイッチ３０１に電流は流れない。これにより、制御部１０はキー９０１が押されていないことを認識する。
【００２５】
また、スイッチ３０１と同様に、スイッチ３０２〜３１６はキー９０２〜９１６と一対一で対応しており、制御部１０はスイッチ３０１が押されているか否かを認識するのと同様に、キー９０２〜９１６が押されているか否かを認識する。
【００２６】
次に、制御部１０が行う、スイッチ３０１〜３１６それぞれの開閉の認識方法について説明する。以下、その具体的代表例として、図３に示した回路においてスイッチ３０１のみが閉じている場合の認識方法についてフローチャート的に説明する。
【００２７】
（ステップＳ３０１）制御部１０は、ＩＮ１に電圧を印加する。その後、ステップＳ３０２に進む。
【００２８】
（ステップＳ３０２）制御部１０は、電圧が印加されているＯＵＴ１〜ＯＵＴ４を認識する。その後、ステップＳ３０３に進む。スイッチ３０１のみが閉じている場合、ＯＵＴ１に電圧が印加される。
【００２９】
（ステップＳ３０３）制御部１０は、ＩＮ１への電圧の印加を止める。その後、ステップＳ３０４に進む。
【００３０】
（ステップＳ３０４）制御部１０は、ＩＮ２に電圧を印加する。その後、ステップＳ３０５に進む。
【００３１】
（ステップＳ３０５）制御部１０は、電圧が印加されているＯＵＴ１〜ＯＵＴ４を認識する。その後、ステップＳ３０６に進む。スイッチ３０１のみが閉じている場合はＯＵＴ１〜ＯＵＴ４のいずれにも電圧は印加されない。
【００３２】
（ステップＳ３０６）制御部１０は、ＩＮ２への電圧の印加を止める。その後、ステップＳ３０７に進む。
【００３３】
（ステップＳ３０７）制御部１０は、ＩＮ３に電圧を印加する。その後、ステップＳ３０８に進む。
【００３４】
（ステップＳ３０８）制御部１０は、電圧が印加されているＯＵＴ１〜ＯＵＴ４を認識する。その後、ステップＳ３０９に進む。スイッチ３０１のみが閉じている場合はＯＵＴ１〜ＯＵＴ４のいずれにも電圧は印加されない。
【００３５】
（ステップＳ３０９）制御部１０は、ＩＮ３への電圧の印加を止める。その後、ステップＳ３１０に進む。
【００３６】
（ステップＳ３１０）制御部１０は、ＩＮ４に電圧を印加する。その後、ステップＳ３１１に進む。
【００３７】
（ステップＳ３１１）制御部１０は、電圧が印加されているＯＵＴ１〜ＯＵＴ４を認識する。その後、ステップＳ３１２に進む。スイッチ３０１のみが閉じている場合はＯＵＴ１〜ＯＵＴ４のいずれにも電圧は印加されない。
【００３８】
（ステップＳ３１２）制御部１０は、ＩＮ４への電圧の印加を止める。その後、処理を終了する。
【００３９】
上述したとおり、スイッチ３０１のみが閉じている場合、ＩＮ１に電圧を印加するとＯＵＴ１に電圧が印加される。また、ＩＮ２〜ＩＮ４に電圧を印加してもＯＵＴ１〜ＯＵＴ４に電圧は印加されない。これにより、制御部１０は、スイッチ３０１が閉じていることを認識することができる。同様に、スイッチ３０２〜３１６が閉じている場合についてもＩＮ１〜ＩＮ４に電圧を印加すると、電圧が印加されるＯＵＴ１〜ＯＵＴ４が一意に決定する。これにより、制御部１０は、スイッチ３０２〜３１６のどのスイッチが閉じているか認識することができる。
【００４０】
次に、本実施形態におけるアンテナの配置、および制御部によるマトリクスパタンの制御方法について図４を参照して説明する。図４は、本実施形態による非接触ＩＣリーダライタ装置のアンテナの配置について示した図である。
【００４１】
図示する例では、非接触ＩＣリーダライタ装置は、制御部１０と、スイッチ部２１〜２２と、マトリクスパタン３０と、アンテナ１０４とを備える。前述した通り、アンテナ１０４の形状はループ状である。図示する例では、アンテナ１０４のループ内にマトリクスパタン３０が配置されている。なお、マトリクスパタン３０は図３に示したマトリクスパタンと同様であり、マトリクスパタン３０が備えるスイッチ３０１〜３１６はスイッチ部２１〜２２を介して制御部１０と接続している。
【００４２】
また、制御部１０は、スイッチ部２１〜２２の開閉を制御することにより、制御部１０がマトリクスパタン３０（図３のスイッチ３０１〜３１６）に流している電流を遮断することができる。例えば、制御部１０は、スイッチ部２１〜２２を開くことで、マトリクスパタン３０に電流を流すことができる。また、制御部１０は、スイッチ部２１〜２２を閉じることで、制御部１０がマトリクスパタン３０に流している電流を遮断することができる。
【００４３】
なお、非接触ＩＣカードリーダライタ装置が備える非接触ＩＣ用のアンテナ１０４は、近隣に金属のループパタン（マトリクスパタン３０）があると意図しない電磁誘導でアンテナが出力するパワーを弱められる。本実施形態のように、マトリクスパタン３０を有するキーボード１０１の外周または内周など、キーボード１０１の周囲にアンテナ１０４を配置する場合、非接触ＩＣメディアと通信を行うことができない可能性がある。
【００４４】
そこで、本実施形態では、アンテナ１０４が非接触ＩＣメディアと通信を行うときは、マトリクスパタン３０に流れる電流を遮断するためにスイッチ部２１〜２２を備える。これにより、キーボード１０１の周囲にアンテナ１０４を配置しても、非接触ＩＣメディアと通信を行うことができる。
【００４５】
次に、本実施形態における非接触ＩＣリーダライタ装置を備えた決済端末装置の処理について説明する。図５は本実施形態における非接触ＩＣリーダライタ装置を備えた決済端末装置の処理の流れを示したフローチャートである。
【００４６】
（ステップＳ５０１）決済処理が開始されると、キーボード１０１は金額の入力を受け付ける。その後ステップＳ５０２に進む。
【００４７】
（ステップＳ５０２）キーボード１０１は決済処理手段の入力を受け付ける。その後ステップＳ５０３に進む。本実施形態では、決済処理手段は「接触決済」と、「非接触決済」とがある。接触決済は、決済端末装置が、自身が備える読み取り部に接触された磁気カード等が記憶する情報を読み取り、読み取った情報に基づいて決済を行う決済処理手段である。非接触決済は、決済端末装置が備える非接触ＩＣリーダライタ装置が、非接触ＩＣメディアに直接触れることなく非接触ＩＣメディアが記憶する情報を読み取り、読み取った情報に基づいて決済を行う決済処理手段である。
【００４８】
（ステップＳ５０３）制御部１０は、ステップＳ５０２で受け付けた決済処理手段が非接触決済であるか否か判断する。制御部１０が非接触決済であると判断した場合ステップＳ５０４に進み、それ以外の場合はステップＳ５０９に進む、
（ステップＳ５０４）制御部１０は、スイッチ部２１〜２２を開く。その後、ステップＳ５０５に進む。これにより、マトリクスパタン３０に電流は流れなくなり、マトリクスパタン３０がアンテナ１０４の通信に及ぼす影響を軽減することができる。なお、マトリクスパタンに電流が流れないため、この時点ではキーボード１０１は入力を受け付けることができない。
【００４９】
（ステップＳ５０５）制御部１０は、アンテナ１０４の制御を開始し、非接触メディアを捕捉する。非接触ＩＣメディアを補足後、ステップＳ５０６に進む。
【００５０】
（ステップＳ５０６）制御部１０は、アンテナ１０４を制御し、非接触ＩＣメディアが記憶する情報を読み取り、読み取った情報に基づいて決済処理を行う。その後、ステップＳ５０７に進む。
【００５１】
（ステップＳ５０７）制御部１０は、アンテナ１０４の制御を終了する。その後、ステップＳ５０８に進む。
【００５２】
（ステップＳ５０８）制御部１０は、スイッチ部２１〜２２を閉じる。その後、ステップＳ５１０に進む。これにより、マトリクスパタン３０に電流が再度流れる。よって、この時点ではキーボード１０１は入力を受け付けることができる。
【００５３】
（ステップＳ５０９）制御部１０は、読み取り部に接触された磁気カード等が記憶する情報を読み取り、読み取った情報に基づいて決済処理を行う。その後。ステップＳ５１０に進む。
【００５４】
（ステップＳ５１０）制御部１０は、決済処理の後処理の制御を行う。例えば、通信部を制御し、決済情報を管理しているセンタサーバに決済処理の結果を送信したり、プリンタ１０３を制御し、決済処理の結果を印字したりする。その後、処理を終了する。
【００５５】
上述したとおり、本実施形態によれば、キーボード１０１の外周にアンテナ１０４を配置することで、非接触ＩＣリーダライタ装置を大型化することなく、非接触ＩＣリーダライタ装置の表面、かつ、ユーザの操作性を阻害しない位置にアンテナを配置することができる。また、本実施形態によれば、非接触処理を行う際にマトリクスパタン３０に電流は流れなくなる。これにより、マトリクスパタン３０がアンテナ１０４の通信に及ぼす影響を軽減することができる。よって、マトリクスパタン３０の外周に非接触ＩＣメディアと通信を行うアンテナ１０４を配置しても、非接触ＩＣリーダライタ装置は非接触ＩＣメディアと通信を行うことができる。
【００５６】
また、本実施形態の非接触ＩＣリーダライタ装置を備えた携帯型決済端末装置では、非接触ＩＣメディアと通信を行う際には非接触ＩＣメディアをキーボード１０１の上に置く構成であるため、非接触ＩＣメディアを置いた場合においても表示部１０２が隠れることがない。また、非接触ＩＣリーダライタ装置と非接触ＩＣメディアとの通信は、一般的にはキーボード１０１を使用することなく処理を行う。よって、キーボード１０１の上に非接触ＩＣメディアを置く構成であっても問題はない。また、パスワードの入力などでキーボード１０１を使用する場合においても、パスワード入力時は非接触ＩＣメディアとの通信を行わないため、非接触ＩＣメディアをキーボード１０１上に置く必要がない。よって、パスワードの入力などでキーボード１０１を使用することができる。
【００５７】
また、アンテナ１０４をマトリクスパタン３０の内側に配置することも可能である。図６は、本実施形態による非接触ＩＣリーダライタ装置のアンテナの配置について示した図である。
【００５８】
図示する例では、非接触ＩＣリーダライタ装置は、制御部１０と、スイッチ部２１〜２２と、マトリクスパタン３０と、アンテナ１０４とを備える。前述した通り、アンテナ１０４の形状はループ状である。図示する例では、マトリクスパタン３０の内側にアンテナ１０４が配置されている。なお、アンテナ１０４の配置以外は図４に示した非接触ＩＣリーダライタ装置と同様である。
【００５９】
図６に示すようにアンテナ１０４を配置した場合においても、制御部１０は、スイッチ部２１〜２２の開閉を制御することにより、制御部１０がマトリクスパタン３０（図３のスイッチ３０１〜３１６）に流している電流を遮断することができる。これにより、非接触処理を行う際にマトリクスパタン３０に電流は流れなくすることで、マトリクスパタン３０がアンテナ１０４の通信に及ぼす影響を軽減することができる。
【００６０】
よって、マトリクスパタン３０の内側に非接触ＩＣメディアと通信を行うアンテナ１０４を配置しても、非接触ＩＣリーダライタ装置は非接触ＩＣメディアと通信を行うことができる。
【００６１】
また、アンテナ１０４の一部とマトリクスパタン３０との回路を共有することも可能である。図７および図８は、本実施形態による非接触ＩＣリーダライタ装置のアンテナと、マトリクスパタンの回路とを共有する構成について示した図である。
【００６２】
図７に示す例では、図３と同様にスイッチ３０１〜３１６とが配置されている。図３と異なり、スイッチ３１３の一端とスイッチ部２２とが回路７０１で接続されている。また、図示する例では、制御部１０はスイッチ部２１〜２２を制御し回路を流れる電流を制御することができる。
【００６３】
図示する例では、制御部１０の制御により、電流が流れる回路を太線で示しており、電流が流れない回路を細線で示している。図示する例では、電流が流れない回路は回路７０１の部分である。これにより、マトリクスパタン３０を使用する処理の際には、制御部１０は図７に示すとおりに回路に流れる電流を制御することで、図３に示したマトリクスパタン３０と同様な回路とすることができる。よって、制御部１０はキーボード１０１が受け付けた入力を認識することができる。
【００６４】
図８に示す例では、図７と同様にスイッチ３０１〜３１６が配置されている。また、各部の機能は図７に示した機能と同様である。図８に示す例では、制御部１０の制御により、電流が流れる回路を太線で示しており、電流が流れない回路を細線で示している。図示する例では、電流が流れる回路は回路８０１の部分である。これにより、アンテナ１０４を使用する処理の際には、制御部１０は図８に示すとおりに回路に流れる電流を制御することで、アンテナ１０４のみの回路とすることができる。よって、非接触処理を行う際にマトリクスパタン３０に電流は流れず、アンテナ１０４のみに電流が流れることで、マトリクスパタン３０がアンテナ１０４の通信に及ぼす影響を軽減することができる。
【００６５】
よって、マトリクスパタン３０とアンテナ１０４との回路を共有する構成とした場合においても、非接触ＩＣリーダライタ装置は非接触ＩＣメディアと通信を行うことができる。
【００６６】
また、アンテナ１０４の内側にキーボード１０１を配置することで、キーボード１０１の真上に非接触ＩＣメディアが置かれた状態が、アンテナ１０４と非接触ＩＣメディアとの通信状態が最適な状態となる。また、制御部１０は、非接触ＩＣメディアによってキーボード１０１が備えるキーを押されることで、非接触ＩＣメディアが置かれた位置を認識することができる。よって、制御部１０は、認識した非接触ＩＣメディアの位置に応じて、アンテナ１０４と非接触ＩＣメディアとの通信状態が最適となる位置を操作者に通知することが可能となる。
【００６７】
図９は、本実施形態におけるキーボード１０１とアンテナ１０４との配置を示した図である。図示する例では、アンテナ１０４の内側にキーボード１０１が配置されている。また、キーボード１０１は、キー９０１〜９１６を備えている。
【００６８】
図示する例では、キー９０１〜９０４、キー９０５〜９０８、キー９０９〜９１２、キー９１３〜９１６は横一列に並んで配置されている。また、キー９０１〜９０４、キー９０５〜９０８、キー９０９〜９１２、キー９１３〜９１６の順に上から並んで配置されている。
【００６９】
また、キー９０１は、先述したスイッチ３０１と一対一で対応している。例えば、キー９０１が押された場合、スイッチ３０１が閉じ、スイッチ３０１に電流が流れる。これにより、制御部１０はキー９０１が押されたことを認識する。なお、キー９０１が押されていない場合は、スイッチ３０２は開き、スイッチ３０１に電流は流れない。これにより、制御部１０はキー９０１が押されていないことを認識する。
【００７０】
スイッチ３０１と同様に、スイッチ３０２〜３１６はキー９０２〜９１６と一対一で対応しており、制御部１０はスイッチ３０１が押されているか否かを認識するのと同様に、キー９０２〜９１６が押されているか否かを認識する。
【００７１】
なお、図９に示した各キーの機能は一例であり、キーの機能、あるいはキーの個数は図に示したものに限定されるものではない。
【００７２】
次に、本実施形態における非接触ＩＣリーダライタ装置が、アンテナ１０４と非接触ＩＣメディアとの位置を操作者に通知する処理について説明する。この処理は、非接触ＩＣリーダライタ装置が非接触ＩＣメディアとの通信を行う前（例えば、先述したステップＳ５０４の前）に行うことで、アンテナ１０４と非接触ＩＣメディアとの通信状態が最適となる位置を操作者に通知することが可能となる。
【００７３】
図１０は本実施形態における非接触ＩＣリーダライタ装置が、アンテナと非接触ＩＣメディアとの位置を操作者に通知する処理の流れを示したフローチャートである。本実施形態では、操作者によって非接触ＩＣメディアがキーボード１０１に置かれると、非接触ＩＣメディアが置かれた位置に応じて、キー９０１〜９１６が非接触ＩＣメディアに押される。
【００７４】
（ステップＳ１００１）制御部１０は、キー９０１〜９１６のいずれかが押されているか否か判断する。キー９０１〜９１６のいずれかが押されていると判断した場合はステップＳ１００２に進み、それ以外はステップＳ１００１の処理を再度実行する。
【００７５】
（ステップＳ１００２）制御部１０は、キー９０１〜９１６の全てが押されているか否か判断する。キー９０１〜９１６の全てが押されていると判断した場合はステップＳ１００３に進み、それ以外はステップＳ１００４に進む。
【００７６】
（ステップＳ１００３）制御部１０は、非接触ＩＣメディアが正しい位置に置かれていることを認識する。その後、処理を終了する。
【００７７】
（ステップＳ１００４）制御部１０は、押されているキー９０１〜９１６と押されていないキー９０１〜９１６に応じたメッセージを表示部に表示する。その後、ステップＳ１００１に戻る。押されているキー９０１〜９１６と押されていないキー９０１〜９１６とに応じたメッセージ例は以下の通りである。
【００７８】
例えば、キー９０１とキー９０８とが押されていない場合は、「メディアを上に移動してください」と表示部に表示する。キー９０６，９０７，９１０，９１１のうち、キー９１０とキー９１１とが押されていない場合は、「メディアを下に移動してください」と表示部に表示する。
【００７９】
キー９０６，９０７，９１０，９１１のうち、キー９０６とキー９１０とが押されていない場合は、「メディアを左に移動してください」と表示部に表示する。キー９０６，９０７，９１０，９１１のうち、キー９０７とキー９１１とが押されていない場合は、「メディアを右に移動してください」と表示部に表示する。
【００８０】
キー９０６，９０７，９１０，９１１のうち、キー９０６のみ押されていない、またはキー９１１のみが押されている場合は、「メディアを左上に移動してください」と表示部に表示する。キー９０６，９０７，９１０，９１１のうち、キー９０７のみ押されていない、またはキー９１０のみが押されている場合は、「メディアを右上に移動してください」と表示部に表示する。
【００８１】
キー９０６，９０７，９１０，９１１のうち、キー９１０のみ押されていない、またはキー９０７のみが押されている場合は、「メディアを左下に移動してください」と表示部に表示する。キー９０６，９０７，９１０，９１１のうち、キー９１１のみ押されていない、またはキー９０６のみが押されている場合は、「メディアを右下に移動してください」と表示部に表示する。
【００８２】
キー９０６，９０７，９１０，９１１が全て押されており、キー９０２，９０３，９０５，９０８，９０９，９１２，９１４，９１５のうち、キー９０２，９０３の両方またはどちらかのみ押されておらず他のキーが全て押されている場合は、「メディアを上に移動してください」と表示部に表示する。
【００８３】
キー９０６，９０７，９１０，９１１が全て押されており、キー９０２，９０３，９０５，９０８，９０９，９１２，９１４，９１５のうち、キー９１４，９１５の両方またはどちらかのみ押されておらず他のキーが全て押されている場合は、「メディアを下に移動してください」と表示部に表示する。
【００８４】
キー９０６，９０７，９１０，９１１が全て押されており、キー９０２，９０３，９０５，９０８，９０９，９１２，９１４，９１５のうち、キー９０５，９０９の両方またはどちらかのみ押されておらず他のキーが全て押されている場合は、「メディアを左に移動してください」と表示部に表示する。
【００８５】
キー９０６，９０７，９１０，９１１が全て押されており、キー９０２，９０３，９０５，９０８，９０９，９１２，９１４，９１５のうち、キー９０８，９１２の両方またはどちらかのみ押されておらず他のキーが全て押されている場合は、「メディアを右に移動してください」と表示部に表示する。
【００８６】
キー９０６，９０７，９１０，９１１が全て押されており、キー９０２，９０３，９０５，９０８，９０９，９１２，９１４，９１５のうち、キー９１４，９１５の両方またはどちらかのみ押されている場合は、「メディアを上に移動してください」と表示部に表示する。
【００８７】
キー９０６，９０７，９１０，９１１が全て押されており、キー９０２，９０３，９０５，９０８，９０９，９１２，９１４，９１５のうち、キー９０２，９０３の両方またはどちらかのみ押されている場合は、「メディアを下に移動してください」と表示部に表示する。
【００８８】
キー９０６，９０７，９１０，９１１が全て押されており、キー９０２，９０３，９０５，９０８，９０９，９１２，９１４，９１５のうち、キー９０８，９１２の両方またはどちらかのみ押されている場合は、「メディアを左に移動してください」と表示部に表示する。
【００８９】
キー９０６，９０７，９１０，９１１が全て押されており、キー９０２，９０３，９０５，９０８，９０９，９１２，９１４，９１５のうち、キー９０５，９０９の両方またはどちらかのみ押されている場合は、「メディアを右に移動してください」と表示部に表示する。
【００９０】
キー９０６，９０７，９１０，９１１が全て押されており、キー９０２，９０３，９０５，９０８，９０９，９１２，９１４，９１５のうち、キー９０２，９０５の両方またはどちらかのみ押されておらず他のキーが全て押されている場合は、「メディアを左上に移動してください」と表示部に表示する。
【００９１】
キー９０６，９０７，９１０，９１１が全て押されており、キー９０２，９０３，９０５，９０８，９０９，９１２，９１４，９１５のうち、キー９０３，９０８の両方またはどちらかのみ押されておらず他のキーが全て押されている場合は、「メディアを右上に移動してください」と表示部に表示する。
【００９２】
キー９０６，９０７，９１０，９１１が全て押されており、キー９０２，９０３，９０５，９０８，９０９，９１２，９１４，９１５のうち、キー９０９，９１４の両方またはどちらかのみ押されておらず他のキーが全て押されている場合は、「メディアを左下に移動してください」と表示部に表示する。
【００９３】
キー９０６，９０７，９１０，９１１が全て押されており、キー９０２，９０３，９０５，９０８，９０９，９１２，９１４，９１５のうち、キー９１２，９１５の両方またはどちらかのみ押されておらず他のキーが全て押されている場合は、「メディアを右下に移動してください」と表示部に表示する。
【００９４】
キー９０６，９０７，９１０，９１１が全て押されており、キー９０２，９０３，９０５，９０８，９０９，９１２，９１４，９１５のうち、キー９１２，９１５の両方またはどちらかのみ押されている場合は、「メディアを左上に移動してください」と表示部に表示する。
【００９５】
キー９０６，９０７，９１０，９１１が全て押されており、キー９０２，９０３，９０５，９０８，９０９，９１２，９１４，９１５のうち、キー９０９，９１４の両方またはどちらかのみ押されている場合は、「メディアを右上に移動してください」と表示部に表示する。
【００９６】
キー９０６，９０７，９１０，９１１が全て押されており、キー９０２，９０３，９０５，９０８，９０９，９１２，９１４，９１５のうち、キー９０３，９０８の両方またはどちらかのみ押されている場合は、「メディアを左下に移動してください」と表示部に表示する。
【００９７】
キー９０６，９０７，９１０，９１１が全て押されており、キー９０２，９０３，９０５，９０８，９０９，９１２，９１４，９１５のうち、キー９０２，９０５の両方またはどちらかのみ押されている場合は、「メディアを右下に移動してください」と表示部に表示する。
【００９８】
キー９０６，９０７，９１０，９１１が全て押されておらず、キー９０２，９０３，９０５，９０８，９０９，９１２，９１４，９１５のうち、キー９１４，９１５の両方またはどちらかのみ押されている場合は、「メディアを上に移動してください」と表示部に表示する。
【００９９】
キー９０６，９０７，９１０，９１１が全て押されておらず、キー９０２，９０３，９０５，９０８，９０９，９１２，９１４，９１５のうち、キー９０２，９０３の両方またはどちらかのみ押されている場合は、「メディアを下に移動してください」と表示部に表示する。
【０１００】
キー９０６，９０７，９１０，９１１が全て押されておらず、キー９０２，９０３，９０５，９０８，９０９，９１２，９１４，９１５のうち、キー９０８，９１２の両方またはどちらかのみ押されている場合は、「メディアを左に移動してください」と表示部に表示する。
【０１０１】
キー９０６，９０７，９１０，９１１が全て押されておらず、キー９０２，９０３，９０５，９０８，９０９，９１２，９１４，９１５のうち、キー９０５，９０９の両方またはどちらかのみ押されている場合は、「メディアを右に移動してください」と表示部に表示する。
【０１０２】
キー９０２，９０３，９０５，９０６，９０７，９０８，９０９，９１０，９１１，９１２，９１４，９１５が全て押されておらず、キー９１６が押されている場合は、「メディアを左上に移動してください」と表示部に表示する。
【０１０３】
キー９０２，９０３，９０５，９０６，９０７，９０８，９０９，９１０，９１１，９１２，９１４，９１５が全て押されておらず、キー９１３が押されている場合は、「メディアを右上に移動してください」と表示部に表示する。
【０１０４】
キー９０２，９０３，９０５，９０６，９０７，９０８，９０９，９１０，９１１，９１２，９１４，９１５が全て押されておらず、キー９０４が押されている場合は、「メディアを左下に移動してください」と表示部に表示する。
【０１０５】
キー９０２，９０３，９０５，９０６，９０７，９０８，９０９，９１０，９１１，９１２，９１４，９１５が全て押されておらず、キー９０１が押されている場合は、「メディアを右下に移動してください」と表示部に表示する。
【０１０６】
上述したとおり、本実施形態では、アンテナ１０４の内側にキーボード１０１を配置することで、キーボード１０１の真上に非接触ＩＣメディアが置かれた状態が、アンテナ１０４と非接触ＩＣメディアとの通信状態が最適な状態となる。操作者によって非接触ＩＣメディアがキーボード１０１に置かれると、非接触ＩＣメディアが置かれた位置に応じて、キー９０１〜９１６が非接触ＩＣメディアに押される。これにより、制御部１０は、非接触ＩＣメディアが置かれた位置を認識することができる。よって、制御部１０は、認識した非接触ＩＣメディアの位置に応じて、アンテナ１０４と非接触ＩＣメディアとの通信状態が最適となる位置を操作者に通知することが可能となる。
【０１０７】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【０１０８】
【図１】本発明の一実施形態における非接触ＩＣリーダライタ装置を備えた携帯型決済端末装置を示した図である。
【図２】本実施形態における非接触ＩＣリーダライタ装置を備えたピンバッド装置を示した図である。
【図３】本実施形態における非接触ＩＣリーダライタ装置が備えるキーボードの回路を示した図である。
【図４】本実施形態による非接触ＩＣリーダライタ装置のアンテナの配置について示した図である。
【図５】本実施形態における非接触ＩＣリーダライタ装置を備えた決済端末装置の処理の流れを示したフローチャートである。
【図６】本実施形態による非接触ＩＣリーダライタ装置のアンテナの配置について示した図である。
【図７】本実施形態による非接触ＩＣリーダライタ装置のアンテナと、マトリクスパタンの回路とを共有する構成について示した図である。
【図８】本実施形態による非接触ＩＣリーダライタ装置のアンテナと、マトリクスパタンの回路とを共有する構成について示した図である。
【図９】本実施形態におけるキーボード１０１とアンテナ１０４との配置を示した図である。
【図１０】本実施形態における非接触ＩＣリーダライタ装置が、アンテナと非接触ＩＣカードとの位置を操作者に通知する処理の流れを示したフローチャートである。
【符号の説明】
【０１０９】
１０      制御部
２１〜２２      スイッチ部
３０      マトリクスパタン
１０１      キーボード
１０２      表示部
１０３      プリンタ部
１０４      アンテナ
３０１〜３１６      スイッチ
９０１〜９１６      キー
【図１】
2009193474.tif 000003
【図２】
2009193474.tif 000004
【図３】
2009193474.tif 000005
【図４】
2009193474.tif 000006
【図５】
2009193474.tif 000007
【図６】
2009193474.tif 000008
【図７】
2009193474.tif 000009
【図８】
2009193474.tif 000010
【図９】
2009193474.tif 000011
【図１０】
2009193474.tif 000012